(57)【要約】【課題】熱源温水用凝縮器での凝縮効率を向上させると共に、吸収器又は凝縮器を通過する冷却水の温度を低く抑えるようにした一重二重効用吸収冷温水機を提供する。【解決手段】一重二重効用吸収冷温水機において、吸収器７内を通過した後に凝縮器４内を通過して外部に排出される冷却水管２０を設け、この冷却水管２０の吸収器７より上流側で分岐して熱源温水用凝縮器１０内を通過した後に、冷却水管２０の吸収器７より上流側で且つ前記分岐箇所より下流側に合流Ｐする冷却水バイパス管２０ａを設け、この冷却水バイパス管２０ａの熱源温水用凝縮器１０より上流側に冷却水二方弁２０ｂを設ける。【選択図】図１
2010164282.tif 000002
【特許請求の範囲】
【請求項１】
一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記冷却水管の前記吸収器より上流側で且つ前記分岐箇所より下流側の部分で当該冷却水管に合流する冷却水バイパス管を設け、この冷却水バイパス管に冷却水二方弁を設けたことを特徴とする一重二重効用吸収冷温水機。
【請求項２】
一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記吸収器内を通過する冷却水管の中間部分に合流する冷却水バイパス管を設けると共に、この冷却水バイパス管に冷却水二方弁を設けたことを特徴とする一重二重効用吸収冷温水機。
【請求項３】
一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記冷却水管の前記吸収器より下流側で且つ前記凝縮器より上流側の部分で当該冷却水管に合流する冷却水バイパス管を設けると共に、この冷却水バイパス管に冷却水二方弁を設けたことを特徴とする一重二重効用吸収冷温水機。
【発明の詳細な説明】
【技術分野】
【０００１】
本発明は、一重二重効用吸収冷温水機に係るもので、特に排温水用凝縮器の凝縮効率を高めると共に、吸収器又は凝縮器を通過する冷却水の温度を下げるようにしたものである。
【背景技術】
【０００２】
一重二重効用吸収冷温水機は、冷凍サイクルの構成要素として高温再生器、低温再生器の他に熱源温水用再生器を備えている。従来の一重二重効用吸収冷温水機としては、例えば図４に示すように、ガスバーナ１を熱源として稀吸収液を加熱して冷媒を蒸発分離する高温再生器２、その高温再生器２から供給される冷媒蒸気を熱源として高温再生器２から供給される中濃度吸収液を加熱して冷媒を再度蒸発分離する低温再生器３、当該低温再生器３から流入する冷媒蒸気を凝縮すると共に、低温再生器３で中濃度吸収液を加熱することにより凝縮した冷媒液が供給される凝縮器４、この凝縮器４から供給される冷媒液を、冷媒ポンプ５を介して散布器から散布して蒸発させる蒸発器６、この蒸発器６から流入する冷媒蒸気を、前記低温再生器３から供給される濃吸収液を散布器から散布して吸収する吸収器７、この吸収液７の底部に溜まる稀吸収液を、第１吸収液ポンプ８を介して散布器から散布する熱源温水用再生器９、この熱源温水用再生器９から流入する冷媒蒸気を凝縮する熱源温水用凝縮器１０等を備えている。
【０００３】
前記熱源温水用再生器９においては、外部熱源である排温水を排温水管１２を介して通過させ、前記吸収器７から熱源温水用再生器９に供給される稀吸収液を散布器から散布し、稀吸収液から冷媒の一部を蒸発分離すると共に温度及び濃度の上昇した稀吸収液を高温再生器２へと戻すようにしているため、当該高温再生器２でのガスバーナ１の燃焼量が低減される。
このような一重二重効用吸収冷温水機は、例えば特許文献１、特許文献２等に開示されている。
【先行技術文献】
【特許文献】
【０００４】
【特許文献１】特開２００６−３４３０４２号公報
【特許文献２】特開平４−１６１７６６号公報
【発明の概要】
【発明が解決しようとする課題】
【０００５】
上記従来の一重二重効用吸収冷温水機においては、冷却水を通す冷却水管１１は、図４のように外部から吸収器７に導入され、この吸収器７を通過した後に凝縮器４に導入され、更に凝縮器４を通過した後に熱源温水用凝縮器１０に導入され、この熱源温水用凝縮器１０を通過して外部に導出される構成にしてある。
【０００６】
このような構成の一重二重効用吸収冷温水機では、冷却水が吸収器７、凝縮器４、熱源温水用凝縮器１０の内部をこの順に通過するうちにそれぞれ加温されるため、熱源温水用凝縮器１０内を通過する際の冷却水温度は、吸収器７より上流側での冷却水入口温度に比して４〜５℃程度上昇することになる。このため、熱源温水用凝縮器１０内に流入する冷媒蒸気、即ち熱源温水用再生器９で排温水の熱を利用して生成し冷媒蒸気の凝縮効率が低下してしまい、その結果として排温水の熱を効率的に利用できないものとなってしまう。
【０００７】
本発明は、上記従来技術の問題を解消するためになされ、熱源温水用凝縮器での凝縮効率を向上させると共に、吸収器を通過する冷却水の温度を低く抑えるようにした一重二重効用吸収冷温水機を提供することを目的とする。
【課題を解決するための手段】
【０００８】
上記の課題を解決するための手段として、本発明の請求項１は、一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記冷却水管の前記吸収器より上流側で且つ前記分岐箇所より下流側の部分で当該冷却水管に合流する冷却水バイパス管を設け、この冷却水バイパス管に冷却水二方弁を設けたことを特徴とする。
【０００９】
本発明の請求項２は、一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記吸収器内を通過する冷却水管の中間部分に合流する冷却水バイパス管を設けると共に、この冷却水バイパス管に冷却水二方弁を設けたことを特徴とする。
【００１０】
本発明の請求項３は、一重二重効用吸収冷温水機において、吸収器内を通過した後に凝縮器内を通過して外部に排出される冷却水管を設け、この冷却水管の前記吸収器より上流側で分岐して熱源温水用凝縮器内を通過した後に、前記冷却水管の前記吸収器より下流側で且つ前記凝縮器より上流側の部分で当該冷却水管に合流する冷却水バイパス管を設けると共に、この冷却水バイパス管に冷却水二方弁を設けたことを特徴とする。
【発明の効果】
【００１１】
上記請求項１の発明によれば、冷却水二方弁を切り替えて冷却水入口に供給される冷却水の一部を冷却水バイパス管に通し、この冷却水バイパス管を介して熱源温水用凝縮器内に冷却水を通過させる。これにより、熱源温水用凝縮器内を通過する冷却水の温度を従来よりも低くすることができ、熱源温水用再生器から流入する冷媒蒸気の凝縮効率を向上させることが可能となる。この場合、熱源温水用凝縮器で温度上昇した冷却水を、吸収器より上流側の冷却水管に合流させることにより冷却し、吸収器を通過する冷却水の温度上昇を低く抑えることができる。
【００１２】
上記請求項２の発明によれば、冷却水二方弁を切り替えて冷却水入口に供給される冷却水の一部を冷却水バイパス管に通し、この冷却水バイパス管を介して熱源温水用凝縮器内に冷却水を通過させる。これにより、熱源温水用凝縮器内を通過する冷却水の温度を従来よりも低くすることができ、熱源温水用再生器から流入する冷媒蒸気の凝縮効率を向上させることが可能となる。この場合、熱源温水用凝縮器で温度上昇した冷却水を、吸収器内を通過する冷却水管の中間部分に合流させることにより、この冷却水管の中間部分より下方で温度上昇した冷却水を冷やし、冷却水管の中間部分より上方を通過する冷却水の温度上昇を低く抑えることができる。
【００１３】
上記請求項３の発明によれば、冷却水二方弁を切り替えて冷却水入口に供給される冷却水の一部を冷却水バイパス管に通し、この冷却水バイパス管を介して熱源温水用凝縮器内に冷却水を通過させる。これにより、熱源温水用凝縮器内を通過する冷却水の温度を従来よりも低くすることができ、熱源温水用再生器から流入する冷媒蒸気の凝縮効率を向上させることが可能となる。この場合、熱源温水用凝縮器で温度上昇した冷却水を、吸収器より下流側で且つ凝縮器より上流側の部分で冷却水管に合流させることにより、吸収器内には冷却水入口側の低温の冷却水を供給できると共に、凝縮器内に入る冷却水の温度を下げることができる。
【図面の簡単な説明】
【００１４】
【図１】本発明に係る一重二重効用吸収冷温水機の第１実施形態を示す構成図である。
【図２】本発明に係る一重二重効用吸収冷温水機の第２実施形態を示す構成図である。
【図３】本発明に係る一重二重効用吸収冷温水機の第３実施形態を示す構成図である。
【図４】従来の一重二重効用吸収冷温水機の例を示す構成図である。
【発明を実施するための形態】
【００１５】
本発明に係る一重二重効用吸収冷温水機の実施形態を添付図面に基づいて説明する。
【実施例１】
【００１６】
図１は、本発明に係る一重二重効用吸収冷温水機の第１実施形態を示す構成図である。図１において、前記従来例と同じ構成要素は前記と同じ符号を付けて説明する。
図１において、１は高温再生器２で稀吸収液を加熱するガスバーナであり、このガスバーナ１の加熱により蒸発分離された冷媒蒸気は、冷媒管１３により低温再生器３内を通過すると共に、冷媒ドレン熱回収器１４を経て冷媒液となって凝縮器４の底部に供給される。又、ガスバーナ１の加熱により濃縮された中濃度吸収液は、高温熱交換器１５を経て低温再生器３に供給され、上記冷媒管１３を通る冷媒蒸気により加熱されて再度冷媒蒸気が蒸発分離される。
【００１７】
低温再生器３で再度蒸発分離された冷媒蒸気は、凝縮器４で凝縮されて冷媒液となり、前記冷媒管１３から供給される冷媒液と合流し、冷媒液管１６により蒸発器６に供給される。この蒸発器６の底部に溜まる冷媒液は、冷媒ポンプ５により散布器６ａに送られて冷温水管１７に散布されて蒸発する。この冷媒液の蒸発により冷温水管１７を流れる冷温水が冷却され、冷温水出口から図示を省略した負荷に供給されて冷房又は冷却作用をなす。そして、前記負荷を循環して温度上昇した冷温水は冷温水管１７の冷温水入口へと戻り、蒸発器６を通過する際に、再度冷却されて前記負荷へと供給される。即ち、負荷に対する冷温水管１７の循環経路が形成されている。
【００１８】
蒸発器６で蒸発した冷媒蒸気は、吸収器７の散布器７ａから散布される濃吸収液に吸収され、稀吸収液となって吸収器７の底部に溜まる。散布器７ａから散布される濃吸収液は、前記低温再生器３で濃縮された濃吸収液が、第２吸収液ポンプ１８を介して低温熱交換器１９を通過後に散布器７ａに供給されたものである。
【００１９】
吸収器７の底部に溜まる稀吸収液は、第１吸収液ポンプ８を介して前記熱源温水用再生器９に供給されるが、途中で吸収器７内を通過した後に二股に分岐し、このうち一方の分岐管は前記冷媒ドレン熱回収器１４を通過した後、他方の分岐管は低温熱交換器１９を通過した後に合流し、この合流後に前記熱源温水用再生器９の散布器９ａに供給される。
【００２０】
１２は排温水管であり、外部熱源であるエンジン等の排温水を熱源温水用再生器９に供給し、前記散布器９ａから散布される稀吸収液を加熱して一部冷媒蒸気を蒸発分離させる。この排温水管１２の排温水入口側と出口側とは排温水バイパス管１２ａで連結されると共に、排温水出口側に排温水三方弁１２ｂが設けられている。
【００２１】
２０は冷却水管であり、冷却水入口側で分岐して前記熱源温水用凝縮器１０内を通過した後に、冷却水入口の下流側で冷却水管２０に合流する冷却水バイパス管２０ａを設けると共に、この冷却水バイパス管２０ａの前記熱源温水用凝縮器１０より上流側に冷却水二方弁２０ｂを設けてある。又、この冷却水管２０は、前記冷却水バイパス管２０ａの合流箇所より下流側が前記吸収器７内を通過した後、前記凝縮器４内を通過して外部に排出される。更に、冷却水管２０の冷却水出口側と、前記冷温水管１７の冷温水出口側とは連結管２１により連結され、この連結管２１の途中に開閉弁２１ａが設けられている。
なお、冷却水二方弁２０ｂの位置は、熱源温水用凝縮器１０の上流側又は下流側のどちらでも良く、上流側に設けるのであれば、冷却水バイパス管２０ａが分岐される分岐部の近傍とすることが好ましい。
【００２２】
このような構成の第１実施形態において、従来と同様に吸収器７の稀吸収液を一旦熱源温水用再生器９に供給し、排温水により加温した後に高温再生器２に供給するので、従来の二重効用冷温水機に比して高温再生器２のガスバーナ１の燃焼量を減少させることができる。
【００２３】
この第１実施形態の場合には、前記冷却水管２０における冷却水二方弁２０ｂを切り替えて、冷却水入口側の冷却水の一部を冷却水バイパス管２０ａに導入する。この時、熱源温水用凝縮器１０内を通過する冷却水の温度を低くすることができ、同一の上胴内に設けられている前記熱源温水用再生器９から流入する冷媒蒸気を効率良く凝縮することができ、その凝縮効率を従来よりも向上させることが可能となる。又、上胴内の圧力が低下することから、熱源温水用再生器９内に散布される稀吸収液の飽和温度は低下し、低温の排温水から熱回収することが可能となる。
【００２４】
冷却水バイパス管２０ａは、熱源温水用凝縮器１０内を通過した後に、前記第１冷却水管２０の吸収器７より上流側で且つ前記分岐箇所より下流側の部分で合流Ｐするようにしたので、熱源温水用凝縮器１０で温度上昇した冷却水を、冷却水入口側からの低い温度の冷却水で冷やし、吸収器７に入る冷却水の温度上昇を低く抑えることができる。これにより、吸収器７で散布される濃吸収液の温度を低くし、蒸発器６から流入する冷媒蒸気の吸収率を高めて吸収液の濃度を下げることができる。吸収液の濃度が高いと、吸収液が結晶し易くなって不都合が生じることがある。
【００２５】
又、前記冷却水二方弁２０ｂは、ガス単独運転時には切り替えて冷却水バイパス管２０ａに冷却水を導入しない。この時、熱源温水用凝縮器１０には冷却水が供給されず、当該熱源温水用凝縮器１０内の温度は低下しないので、熱源温水用再生器９内で散布される稀吸収液の自己フラッシュを抑えることができる。これにより、自己フラッシュによる熱損失を抑えて高い温度のまま稀吸収液が高温再生器２に供給されるため、ガスバーナ１の燃焼量を低減させることができる。
【実施例２】
【００２６】
図２は、本発明に係る一重二重効用吸収冷温水機の第２実施形態を示す構成図である。図２において、前記第１実施形態と同じ構成要素は前記と同じ符号を付けて説明する。なお、第１実施形態と、第２実施形態とは、冷却水管の分岐合流が異なるものである。
【００２７】
図２において、１は高温再生器２で稀吸収液を加熱するガスバーナであり、このガスバーナ１の加熱により蒸発分離された冷媒蒸気は、冷媒管１３により低温再生器３内を通過すると共に、冷媒ドレン熱回収器１４を経て冷媒液となって凝縮器４の底部に供給される。又、ガスバーナ１の加熱により濃縮された中濃度吸収液は、高温熱交換器１５を経て低温再生器３に供給され、上記冷媒管１３を通る冷媒蒸気により加熱されて再度冷媒蒸気が蒸発分離される。
【００２８】
低温再生器３で再度蒸発分離された冷媒蒸気は、凝縮器４で凝縮されて冷媒液となり、前記冷媒管１３から供給される冷媒液と合流し、冷媒液管１６により蒸発器６に供給される。この蒸発器６の底部に溜まる冷媒液は、冷媒ポンプ５により散布器６ａに送られて冷温水管１７に散布されて蒸発する。この冷媒液の蒸発により冷温水管１７を流れる冷温水が冷却され、冷温水出口から図示を省略した負荷に供給されて冷房又は冷却作用をなす。そして、前記負荷を循環して温度上昇した冷温水は冷温水管１７の冷温水入口へと戻り、蒸発器６を通過する際に、再度冷却されて前記負荷へと供給される。即ち、負荷に対する冷温水管１７の循環経路が形成されている。
【００２９】
蒸発器６で蒸発した冷媒蒸気は、吸収器７の散布器７ａから散布される濃吸収液に吸収され、稀吸収液となって吸収器７の底部に溜まる。散布器７ａから散布される濃吸収液は、前記低温再生器３で濃縮された濃吸収液が、第２吸収液ポンプ１８を介して低温熱交換器１９を通過後に散布器７ａに供給されたものである。
【００３０】
吸収器７の底部に溜まる稀吸収液は、第１吸収液ポンプ８を介して前記熱源温水用再生器９に供給されるが、途中で吸収器７内を通過した後に二股に分岐し、このうち一方の分岐管は前記冷媒ドレン熱回収器１４を通過した後、他方の分岐管は低温熱交換器１９を通過した後に合流し、この合流後に前記熱源温水用再生器９の散布器９ａに供給される。
【００３１】
１２は排温水管であり、外部熱源であるエンジン等の排温水を熱源温水用再生器９に供給し、前記散布器９ａから散布される稀吸収液を加熱して冷媒蒸気を蒸発分離させる。この排温水管１２の排温水入口側と出口側とは排温水バイパス管１２ａで連結されると共に、排温水出口側に排温水三方弁１２ｂが設けられている。
【００３２】
２２は冷却水管であり、吸収器７内を通過した後に凝縮器４内を通過して外部に排出され、この冷却水管２２の前記吸収器７より上流側で分岐して熱源温水用凝縮器１０内を通過した後に、吸収器７内を通過する冷却水管２２の中段部分に合流Ｑする冷却水バイパス管２２ａを設け、この冷却水バイパス管２２ａの熱源温水用凝縮器１０より上流側に冷却水二方弁２２ｂを設けてある。更に、冷却水管２２の冷却水出口側と、前記冷温水管１７の冷温水出口側とは連結管２１により連結され、この連結管２１の途中に開閉弁２１ａが設けられている。
【００３３】
このような構成の第２実施形態において、従来と同様に吸収器７の稀吸収液を一旦熱源温水用再生器９に供給し、排温水により加温した後に高温再生器２に供給するので、従来の二重効用冷温水機に比して高温再生器２のガスバーナ１の燃焼量を減少させることができる。
【００３４】
この第２実施形態の場合には、前記冷却水管２２における冷却水二方弁２２ｂを切り替えて、冷却水入口側の冷却水の一部を冷却水バイパス管２２ａに導入すると、熱源温水用凝縮器１０内を通過する冷却水の温度を低くすることができる。これにより、同一の上胴内に設けられている前記熱源温水用再生器９から流入する冷媒蒸気を効率良く凝縮することができ、その凝縮効率を従来よりも向上させることが可能となる。この時、上胴内の温度及び圧力が低下することから、熱源温水用再生器９内に散布される稀吸収液の飽和温度は低下し、低温の排温水から熱回収することが可能となる。
【００３５】
冷却水バイパス管２２ａは、熱源温水用凝縮器１０を通過した後に吸収器７内を通過する冷却水管２２の中間部分に合流Ｑさせており、この中間部分に合流する冷却水は、当該中間部分より下方で温度上昇した冷却水の温度より若干低いため冷やすことができる。
これにより、中間部分より上方を通過する冷却水の温度を低く抑えることができ、吸収器７で散布される濃吸収液の温度を低くし、蒸発器６から流入する冷媒蒸気の吸収率を高めて吸収液の濃度を下げることができる。
【００３６】
又、前記冷却水二方弁２２ｂは、ガス単独運転時には切り替えて冷却水バイパス管２２ａに冷却水を導入しない。この時、熱源温水用凝縮器１０には冷却水が供給されず、当該熱源温水用凝縮器１０内の温度は低下しないので、熱源温水用再生器９内で散布される稀吸収液の自己フラッシュを抑えることができる。これにより、自己フラッシュによる熱損失を抑えて高い温度のまま稀吸収液が高温再生器２に供給されるため、ガスバーナ１の燃焼量を低減させることができる。
【実施例３】
【００３７】
図３は、本発明に係る一重二重効用吸収冷温水機の第３実施形態を示す構成図である。図３において、前記第１実施形態及び第２実施形態と同じ構成要素は前記と同じ符号を付けて説明する。なお、第１実施形態及び第２実施形態と、第３実施形態とは、冷却水管の分岐合流が異なるものである。
【００３８】
図３において、１は高温再生器２で稀吸収液を加熱するガスバーナであり、このガスバーナ１の加熱により蒸発分離された冷媒蒸気は、冷媒管１３により低温再生器３内を通過すると共に、冷媒ドレン熱回収器１４を経て冷媒液となって凝縮器４の底部に供給される。又、ガスバーナ１の加熱により濃縮された中濃度吸収液は、高温熱交換器１５を経て低温再生器３に供給され、上記冷媒管１３を通る冷媒蒸気により加熱されて再度冷媒蒸気が蒸発分離される。
【００３９】
低温再生器３で再度蒸発分離された冷媒蒸気は、凝縮器４で凝縮されて冷媒液となり、前記冷媒管１３から供給される冷媒液と合流し、冷媒液管１６により蒸発器６に供給される。この蒸発器６の底部に溜まる冷媒液は、冷媒ポンプ５により散布器６ａに送られて冷温水管１７に散布されて蒸発する。この冷媒液の蒸発により冷温水管１７を流れる冷温水が冷却され、冷温水出口から図示を省略した負荷に供給されて冷房又は冷却作用をなす。そして、温度上昇した冷温水は負荷から冷温水管１７の冷温水入口に排出され、蒸発器６を通過する際に冷却されて再度負荷に供給される。即ち、負荷に対する冷温水管１７の循環経路が形成されている。
【００４０】
蒸発器６で蒸発した冷媒蒸気は、吸収器７の散布器７ａから散布される濃吸収液に吸収され、稀吸収液となって吸収器７の底部に溜まる。散布器７ａから散布される濃吸収液は、前記低温再生器３で濃縮された濃吸収液が、第２吸収液ポンプ１８を介して低温熱交換器１９を通過後に散布器７ａに供給されたものである。
【００４１】
吸収器７の底部に溜まる稀吸収液は、第１吸収液ポンプ８を介して前記熱源温水用再生器９に供給されるが、途中で吸収器７内を通過した後に二股に分岐し、このうち一方の分岐管は前記冷媒ドレン熱回収器１４を通過した後、他方の分岐管は低温熱交換器１９を通過した後に合流し、この合流後に前記熱源温水用再生器９の散布器９ａに供給される。
【００４２】
１２は排温水管であり、外部熱源であるエンジン等の排温水を熱源温水用再生器９に供給し、前記散布器９ａから散布される稀吸収液を加熱して冷媒蒸気を蒸発分離させる。この排温水管１２の排温水入口側と出口側とは排温水バイパス管１２ａで連結されると共に、排温水出口側に排温水三方弁１２ｂが設けられている。
【００４３】
２３は冷却水管であり、吸収器７内を通過した後に凝縮器４内を通過して外部に排出され、この冷却水管２３の前記吸収器７より上流側で分岐して熱源温水用凝縮器１０内を通過した後に、前記冷却水管２３の吸収器７より下流側で且つ凝縮器４より上流側の部分で当該冷却水管２３に合流Ｒする冷却水バイパス管２３ａを設け、この冷却水バイパス管２３ａの熱源温水用凝縮器１０より上流側に冷却水二方弁２３ｂを設けてある。更に、冷却水管２３の冷却水出口側と、前記冷温水管１７の冷温水出口側とは連結管２１により連結され、この連結管２１の途中に開閉弁２１ａが設けられている。
【００４４】
このような構成の第３実施形態において、従来と同様に吸収器７の稀吸収液を一旦熱源温水用再生器９に供給し、排温水により加温した後に高温再生器２に供給するので、従来の二重効用冷温水機に比して高温再生器２のガスバーナ１の燃焼量を減少させることができる。
【００４５】
この第３実施形態の場合には、前記冷却水管２３における冷却水二方弁２３ｂを切り替えて、冷却水入口側の冷却水の一部を冷却水バイパス管２３ａに導入すると、熱源温水用凝縮器１０内を通過する冷却水の温度を低くすることができる。これにより、同一の上胴内に設けられている前記熱源温水用再生器９から流入する冷媒蒸気を効率良く凝縮することができ、その凝縮効率を従来よりも向上させることが可能となる。この時、上胴内の温度及び圧力が低下することから、熱源温水用再生器９内に散布される稀吸収液の飽和温度は低下し、低温の排温水から熱回収することが可能となる。
【００４６】
前記冷却水バイパス管２３ａは、熱源温水用凝縮器１０内を通過した後に、冷却水管２３における吸収器７より下流側で且つ凝縮器４より上流側の部分に合流させたので、吸収器７には冷却水入口側の冷却水が低い温度のまま入るので、当該吸収器７においては、散布される濃吸収液の温度を低くし、蒸発器６から流入する冷媒蒸気の吸収率を高めて吸収液の濃度を下げることができる。又、当該吸収器７から出た温度上昇の冷却水は、凝縮器４より上流側で合流する冷却水バイパス管２３ａからの冷却水により冷やされるので、低い温度の合流冷却水が凝縮器４に入ることになる。これにより、当該凝縮器４においては、低温再生器３から流入する冷媒蒸気の凝縮効率を高めることができる。
【００４７】
前記冷却水二方弁２３ｂは、ガス単独運転時には切り替えて冷却水バイパス管２３ａに冷却水を導入しない。この時、熱源温水用凝縮器１０には冷却水が供給されず、当該熱源温水用凝縮器１０内の温度及び圧力は低下しないので、熱源温水用再生器９内で散布される稀吸収液の自己フラッシュを抑えることができる。これにより、自己フラッシュによる熱損失を抑えて高い温度のまま稀吸収液が高温再生器２に供給されるため、ガスバーナ１の燃焼量を低減させることができる。
【産業上の利用可能性】
【００４８】
本発明は、一重二重効用吸収冷温水機に適用することにより、熱源温水用凝縮器での凝縮効率を向上させると共に、吸収器又は凝縮器を通過する冷却水の温度上昇を低く抑えることができる。
【符号の説明】
【００４９】
１  ガスバーナ
２  高温再生器
３  低温再生器
４  凝縮器
５  冷媒ポンプ
６  蒸発器
７  吸収器
８  第１吸収液ポンプ
９  熱源温水用再生器
１０  熱源温水用凝縮器
１１  冷却水管
１２  排温水管
１３  冷媒管
１４  冷媒ドレン熱回収器
１５  高温熱交換器
１６  冷媒液管
１８  第２吸収液ポンプ
１９  低温熱交換器
２０  冷却水管
２０ａ  冷却水バイパス管
２０ｂ  冷却水二方弁
２１  連結管
２２  冷却水管
２２ａ  冷却水バイパス管
２２ｂ  冷却水二方弁
２３  冷却水管
２３ａ  冷却水バイパス管
２３ｂ  冷却水二方弁
【図１】
2010164282.tif 000003
【図２】
2010164282.tif 000004
【図３】
2010164282.tif 000005
【図４】
2010164282.tif 000006